(57)【要約】【課題】  画面全体を均一な輝度で表示する。【解決手段】  書込期間においてＴＦＴ４０１はオン状態となる一方、ＴＦＴ４０２はオフ状態となる。従って、第１容量素子４１０には階調電圧Ｖdataと電荷保持基準電圧との差分電圧が印加される。そして、差分電圧に応じた電荷が第１容量素子４１０に保持される。発光期間においてＴＦＴ４０２がオン状態になると、第１容量素子４１０に保持された電荷がＯＬＥＤ素子４２０に供給され、ＯＬＥＤ素子４２０は電荷量に応じた光量の光を発光する。【選択図】      図２
2006003716.tif 000002
【特許請求の範囲】
【請求項１】
入力端子と、
第１電圧が供給される第１電源端子と、
第２電圧が供給される第２電源端子と、
前記第１電源端子と接続され、供給される電荷量に応じた光量の光を発光する電気光学素子と、
前記第２電源端子と第１接続点との間に設けられ、電荷を保持する第１電荷保持手段と、
前記入力端子と前記第１接続点との間に設けられ、選択信号に基づいてオン状態とオフ状態が制御される入力スイッチング手段と、
前記電気光学素子と前記第１接続点との間に設けられ、第１制御信号に基づいてオン状態とオフ状態が制御される第１スイッチング手段と、
を備えた電子回路。
【請求項２】
入力端子と、
第１電圧が供給される第１電源端子と、
第２電圧が供給される第２電源端子と、
前記第１電源端子と接続され、供給される電荷量に応じた光量の光を発光する電気光学素子と、
前記第２電源端子と第１接続点との間に設けられ、電荷を保持する第１電荷保持手段と、
前記第１接続点と第２接続点との間に設けられ、電荷を保持する第２電荷保持手段と、
前記入力端子と前記第２接続点との間に設けられ、選択信号に基づいてオン状態とオフ状態が制御される入力スイッチング手段と、
前記第１接続点と前記電気光学素子との間に設けられ、第１制御信号に基づいてオン状態とオフ状態が制御される第１スイッチング手段と、
を備えた電子回路。
【請求項３】
第３電圧が供給される第３電源端子と、
前記第３電源端子と前記第２接続点との間に設けられ、第２制御信号に基づいてオン状態とオフ状態が制御される第２スイッチング手段と、
を備えたことを特徴とする請求項２に記載の電子回路。
【請求項４】
第４電圧が供給される第４電源端子と、
前記第４電源端子と前記第１接続点との間に設けられ、第３制御信号に基づいてオン状態とオフ状態が制御される第３スイッチング手段と、
を備えたことを特徴とする請求項３に記載の電子回路。
【請求項５】
前記電気光学素子に蓄積された電荷を放電させる放電手段を備えた請求項１乃至４のうちいずれか１項に記載の電子回路。
【請求項６】
入力端子と、第１電圧が供給される第１電源端子と、第２電圧が供給される第２電源端子と、前記第１電源端子と接続され、供給される電荷量に応じた光量の光を発光する電気光学素子と、前記第２電源端子と第１接続点との間に設けられ、電荷を保持する第１電荷保持手段と、前記入力端子と前記第１接続点との間に設けられた入力スイッチング手段と、前記電気光学素子と前記第１接続点との間に設けられた第１スイッチング手段とを備えた電子回路の制御方法であって、
書込期間において、表示すべき階調に応じた階調電圧を前記入力端子に供給し、前記入力スイッチング手段がオン状態となり、前記第１スイッチング手段がオフ状態となるように制御し、
発光期間において、前記入力スイッチング手段がオフ状態となり、前記第１スイッチング手段がオン状態になるように前記第１スイッチング手段を制御する、
ことを特徴とする電子回路の制御方法。
【請求項７】
入力端子と、第１電圧が供給される第１電源端子と、第２電圧が供給される第２電源端子と、前記第１電源端子と接続され、供給される電荷量に応じた光量の光を発光する電気光学素子と、前記第２電源端子と第１接続点との間に設けられ、電荷を保持する第１電荷保持手段と、前記第１接続点と第２接続点との間に設けられ、電荷を保持する第２電荷保持手段と、前記入力端子と前記第２接続点との間に設けられた入力スイッチング手段と、前記第１接続点と前記電気光学素子との間に設けられた第１スイッチング手段とを備えた電子回路の制御方法であって、
初期化期間において、第３電圧を前記入力端子に供給し、前記入力スイッチング手段および前記第１スイッチング手段がオン状態になるように制御し、
書込期間において、表示すべき階調に応じた階調電圧を前記入力端子に供給し、前記入力スイッチング手段がオン状態となり、第１スイッチング手段がオフ状態になるように制御し、
発光期間において、前記入力スイッチング手段がオフ状態となり、前記第１スイッチング手段がオン状態になるように制御する、
ことを特徴とする電子回路の制御方法。
【請求項８】
入力端子と、第１電圧が供給される第１電源端子と、第２電圧が供給される第２電源端子と、第３電圧が供給される第３電源端子と、前記第１電源端子と接続され、供給される電荷量に応じた光量の光を発光する電気光学素子と、前記第２電源端子と第１接続点との間に設けられ、電荷を保持する第１電荷保持手段と、前記第１接続点と第２接続点との間に設けられ、電荷を保持する第２電荷保持手段と、前記入力端子と前記第２接続点との間に設けられた入力スイッチング手段と、前記第１接続点と前記電気光学素子との間に設けられた第１スイッチング手段と、前記第３電源端子と前記第２接続点との間に設けられた第２スイッチング手段とを備えた電子回路の制御方法であって、
初期化期間において、前記第１スイッチング手段および前記第２スイッチング手段がオン状態になるように制御し、
書込期間において、表示すべき階調に応じた階調電圧を前記入力端子に供給し、前記入力スイッチング手段がオン状態となり、前記第１スイッチング手段および前記第２スイッチング手段がオフ状態になるように制御し、
発光期間において、前記第１スイッチング手段がオン状態となり、前記入力スイッチング手段および前記第２スイッチング手段がオフ状態になるように制御する、
ことを特徴とする電子回路の制御方法。
【請求項９】
入力端子と、第１電圧が供給される第１電源端子と、第２電圧が供給される第２電源端子と、第３電圧が供給される第３電源端子と、第４電圧が供給される第４電源端子と、前記第１電源端子と接続され、供給される電荷量に応じた光量の光を発光する電気光学素子と、前記第２電源端子と第１接続点との間に設けられ、電荷を保持する第１電荷保持手段と、前記第１接続点と第２接続点との間に設けられ、電荷を保持する第２電荷保持手段と、前記入力端子と前記第２接続点との間に設けられた入力スイッチング手段と、前記第１接続点と前記電気光学素子との間に設けられた第１スイッチング手段と、前記第３電源端子と前記第２接続点との間に設けられた第２スイッチング手段と、前記第４電源端子と前記第１接続点との間に設けられた第３スイッチング手段とを備えた電子回路の制御方法であって、
初期化期間において、前記第１スイッチング手段がオフ状態となり、前記第２スイッチング手段および前記第３スイッチング手段がオン状態となるように制御し、
書込期間において、表示すべき階調に応じた階調電圧を前記入力端子に供給し、前記入力スイッチング手段がオン状態になり、前記第１スイッチング手段、前記第２スイッチング手段および前記第３スイッチング手段がオフ状態となるように制御し、
発光期間において、前記第１スイッチング手段がオン状態になり、前記入力スイッチング手段、前記第２スイッチング手段および第３スイッチング手段がオフ状態になるように制御する、
ことを特徴とする電子回路の制御方法。
【請求項１０】
前記電子回路は、前記電気光学素子に蓄積された電荷を放電させる放電手段を備え、前記第１スイッチング手段をオン状態とする期間以外の一部または全部において、前記電気光学素子に蓄積された電荷を放電するように前記放電手段を制御することを特徴とする請求項６乃至９のうちいずれか１項に記載の電子回路の制御方法。
【請求項１１】
複数の画素回路と、
前記複数の画素回路の各々を駆動する駆動手段とを備え、
前記複数の画素回路の各々は、
入力端子と、第１電圧が供給される第１電源端子と、第２電圧が供給される第２電源端子と、前記第１電源端子と接続され、供給される電荷量に応じた光量の光を発光する電気光学素子と、前記第２電源端子と第１接続点との間に設けられ、電荷を保持する第１電荷保持手段と、前記入力端子と前記第１接続点との間に設けられ、選択信号に基づいてオン状態とオフ状態が制御される入力スイッチング手段と、前記電気光学素子と前記第１接続点との間に設けられ、第１制御信号に基づいてオン状態とオフ状態が制御される第１スイッチング手段とを備え、
前記駆動手段は、
書込期間において、表示すべき階調に応じた階調電圧を前記入力端子に供給し、前記入力スイッチング手段をオン状態にさせる前記選択信号を前記入力スイッチング手段に供給し、前記第１スイッチング手段をオフ状態にさせる前記第１制御信号を前記第１スイッチング手段に供給し、
発光期間において、前記入力スイッチング手段をオフ状態にさせる前記選択信号を前記入力スイッチング手段に供給し、前記第１スイッチング手段をオン状態にさせる前記第１制御信号を前記第１スイッチング手段に供給する
ことを特徴とする電気光学装置。
【請求項１２】
複数の画素回路と、
前記複数の画素回路の各々を駆動する駆動手段とを備え、
前記複数の画素回路の各々は、
入力端子と、第１電圧が供給される第１電源端子と、第２電圧が供給される第２電源端子と、前記第１電源端子と接続され、供給される電荷量に応じた光量の光を発光する電気光学素子と、前記第２電源端子と第１接続点との間に設けられ、電荷を保持する第１電荷保持手段と、前記第１接続点と第２接続点との間に設けられ、電荷を保持する第２電荷保持手段と、前記入力端子と前記第２接続点との間に設けられ、選択信号に基づいてオン状態とオフ状態が制御される入力スイッチング手段と、前記第１接続点と前記電気光学素子との間に設けられ、第１制御信号に基づいてオン状態とオフ状態が制御される第１スイッチング手段とを備え、
前記駆動手段は、
初期化期間において、第３電圧を前記入力端子に供給し、前記入力スイッチング手段をオン状態にさせる前記選択信号を前記入力スイッチング手段に供給し、前記第１スイッチング手段をオン状態とさせる前記第１制御信号を前記第１スイッチング手段に供給し、
書込期間において、表示すべき階調に応じた階調電圧を前記入力端子に供給し、前記入力スイッチング手段をオン状態にさせる前記選択信号を前記入力スイッチング手段に供給し、前記第１スイッチング手段をオフ状態とさせる前記第１制御信号を前記第１スイッチング手段に供給し、
発光期間において、前記入力スイッチング手段をオフ状態にさせる前記選択信号を前記入力スイッチング手段に供給し、前記第１スイッチング手段をオン状態にさせる前記第１制御信号を前記第１スイッチング手段に供給する
ことを特徴とする電気光学装置。
【請求項１３】
複数の画素回路と、
前記複数の画素回路の各々を駆動する駆動手段とを備え、
前記複数の画素回路の各々は、
入力端子と、第１電圧が供給される第１電源端子と、第２電圧が供給される第２電源端子と、第３電圧が供給される第３電源端子と、前記第１電源端子と接続され、供給される電荷量に応じた光量の光を発光する電気光学素子と、前記第２電源端子と第１接続点との間に設けられ、電荷を保持する第１電荷保持手段と、前記第１接続点と第２接続点との間に設けられ、電荷を保持する第２電荷保持手段と、前記入力端子と前記第２接続点との間に設けられ、選択信号に基づいてオン状態とオフ状態が制御される入力スイッチング手段と、前記第１接続点と前記電気光学素子との間に設けられ、第１制御信号に基づいてオン状態とオフ状態が制御される第１スイッチング手段と、前記第３電源端子と前記第２接続点との間に設けられ、第２制御信号に基づいてオン状態とオフ状態が制御される第２スイッチング手段とを備え、
前記駆動手段は、
初期化期間において、前記第１スイッチング手段および前記第２スイッチング手段がオン状態になるように制御し、
書込期間において、表示すべき階調に応じた階調電圧を前記入力端子に供給し、前記入力スイッチング手段がオン状態となり、前記第１スイッチング手段および前記第２スイッチング手段がオフ状態になるように制御し、
発光期間において、前記第１スイッチング手段がオン状態となり、前記入力スイッチング手段および前記第２スイッチング手段がオフ状態になるように制御する、
ことを特徴とする電気光学装置。
【請求項１４】
複数の画素回路と、
前記複数の画素回路の各々を駆動する駆動手段とを備え、
前記複数の画素回路の各々は、
入力端子と、第１電圧が供給される第１電源端子と、第２電圧が供給される第２電源端子と、第３電圧が供給される第３電源端子と、第４電圧が供給される第４電源端子と、前記第１電源端子と接続され、供給される電荷量に応じた光量の光を発光する電気光学素子と、前記第２電源端子と第１接続点との間に設けられ、電荷を保持する第１電荷保持手段と、前記第１接続点と第２接続点との間に設けられ、電荷を保持する第２電荷保持手段と、前記入力端子と前記第２接続点との間に設けられ、選択信号に基づいてオン状態とオフ状態が制御される入力スイッチング手段と、前記第１接続点と前記電気光学素子との間に設けられ、第１制御信号に基づいてオン状態とオフ状態が制御される第１スイッチング手段と、前記第３電源端子と前記第２接続点との間に設けられ、第２制御信号に基づいてオン状態とオフ状態が制御される第２スイッチング手段と、前記第４電源端子と前記第１接続点との間に設けられ、第３制御信号に基づいてオン状態とオフ状態が制御される第３スイッチング手段とを備え、
前記駆動手段は、
初期化期間において、前記第１スイッチング手段をオフ状態にさせる前記第１制御信号を前記第１スイッチング手段に供給し、前記第２スイッチング手段をオン状態にさせる前記第２制御信号を前記第２スイッチング手段に供給し、前記第３スイッチング手段をオン状態にさせる前記第３制御信号を前記第３スイッチング手段に供給し、
書込期間において、表示すべき階調に応じた階調電圧を前記入力端子に供給し、前記入力スイッチング手段をオン状態にさせる前記選択信号を前記入力スイッチング手段に供給し、前記第１スイッチング手段をオフ状態にさせる前記第１制御信号を前記第１スイッチング手段に供給し、前記第２スイッチング手段をオフ状態にさせる前記第２制御信号を前記第２スイッチング手段に供給し、前記第３スイッチング手段をオフ状態にさせる前記第３制御信号を前記第３スイッチング手段に供給し、
発光期間において、前記第１スイッチング手段をオン状態にさせる前記第１制御信号を前記第１スイッチング手段に供給し、前記入力スイッチング手段をオフ状態にさせる前記選択信号を前記入力スイッチング手段に供給し、前記第２スイッチング手段をオフ状態にさせる前記第２制御信号を前記第２スイッチング手段に供給し、前記第３スイッチング手段をオフ状態にさせる前記第３制御信号を前記第３スイッチング手段に供給し、
ことを特徴とする電気光学装置。
【請求項１５】
前記駆動手段は、前記第３制御信号の替わりに前記第２制御信号を前記第３スイッチング手段に供給することを特徴とする請求項１１に記載の電気光学装置。
【請求項１６】
前記複数の画素回路の各々は、前記電気光学素子に蓄積された電荷を放電させる放電手段を備え、
前記駆動手段は、前記第１スイッチング手段をオン状態とする期間以外の一部または全部において、前記電気光学素子に蓄積された電荷を放電するように前記放電手段を制御する、
ことを特徴とする請求項１１乃至１５のうちいずれか１項に記載の電気光学装置。
【請求項１７】
前記複数の画素回路の各々は、前記電気光学素子と並列に接続され、放電制御信号に基づいてオン状態とオフ状態が制御される放電用スイッチング手段を備え、
前記駆動手段は、前記放電制御信号として前記選択信号を前記放電用スイッチング手段へ供給する、
ことを特徴とする請求項１１乃至１５のうちいずれか１項に記載の電気光学装置。
【請求項１８】
前記第２電源端子に対して前記第１電圧を供給する、
ことを特徴とする請求項１１乃至１７のうちいずれか１項に記載の電気光学装置。
【請求項１９】
前記第３電源端子に対して前記第１電圧、または、前記第２電圧のいずれかを供給する、
ことを特徴とする請求項１１乃至１８のうちいずれか１項に記載の電気光学装置。
【請求項２０】
前記第４電源端子に対して前記第１電圧、または、前記第２電圧、または、前記第３電圧のいずれかを供給する、
ことを特徴とする請求項１１乃至１９のうちいずれか１項に記載の電気光学装置。
【請求項２１】
請求項１１乃至２０のうちいずれか１項に記載の電気光学装置を備えたことを特徴とする電子機器。
【発明の詳細な説明】
【技術分野】
【０００１】
本発明は、有機発光ダイオード素子のような電流駆動型素子を駆動する電気光学装置、その駆動方法および電子機器に関する。
【背景技術】
【０００２】
近年、液晶素子に代わる次世代の発光デバイスとして、有機エレクトロルミネッセンス素子や発光ポリマー素子などと呼ばれる有機発光ダイオード（Organic Light Emitting
Diode、以下適宜「ＯＬＥＤ素子」と略称する）素子が注目されている。このＯＬＥＤ素子は、自発光型であるために視野角依存性が少なく、また、バックライトや反射光が不要であるために低消費電力化や薄型化に向いているなど、表示パネルとして優れた特性を有している。
ここで、ＯＬＥＤ素子は、液晶素子のように電圧保持性を有さず、電流が途絶えると、発光状態が維持できなくなる電流型の被駆動素子である。このため、ＯＬＥＤ素子をアクティブ・マトリクス方式で駆動する場合、書込期間（選択期間）において、画素の階調に応じた電圧を駆動トランジスタのゲートに書き込んで、当該電圧をゲート容量などにより保持し、当該ゲート電圧に応じた電流を駆動トランジスタがＯＬＥＤ素子に流し続ける事が一般的となっている。
【０００３】
例えば、非特許文献１には、一般的な画素回路が開示されている。この画素回路は、駆動トランジスタ、スイッチングトランジスタ、及び容量とによって構成される。書込期間においてスイッチングトランジスタがオン状態になると、表示すべき階調に応じた電圧が容量に書き込まれる。発光期間において、スイッチングトランジスタがオフ状態となり、駆動トランジスタがオン状態になると、駆動トランジスタは定電流源として機能し、ＯＬＥＤ素子に電流が流れる。
【非特許文献１】「２００１ＦＰＤテクノロジー大全」，電子ジャーナル，P.７４９（図２）
【発明の開示】
【発明が解決しようとする課題】
【０００４】
しかしながら、このような画素回路では、駆動トランジスタのしきい値電圧等の特性がばらつくことによって、画素ごとに、ＯＬＥＤ素子の明るさが相違して表示品位が低下するといった問題がある。駆動トランジスタのばらつきを低減することには、一定の限界があるため、従来の手法では画面全体を均一な表示にすることが困難であった。
【０００５】
本発明は、上述した事情に鑑みてなされたもので、その目的とするところは、輝度を均一にすることが可能な電子回路、その制御方法、電気光学装置、および電子機器を提供することにある。
【課題を解決するための手段】
【０００６】
上述した課題を解決するため、本発明に係る電子回路は、入力端子と、第１電圧が供給される第１電源端子と、第２電圧が供給される第２電源端子と、前記第１電源端子と接続され、供給される電荷量に応じた光量の光を発光する電気光学素子と、前記第２電源端子と第１接続点との間に設けられ、電荷を保持する第１電荷保持手段と、前記入力端子と前記第１接続点との間に設けられ、選択信号に基づいてオン状態とオフ状態が制御される入力スイッチング手段と、前記電気光学素子と前記第１接続点との間に設けられ、第１制御信号に基づいてオン状態とオフ状態が制御される第１スイッチング手段と、を備える。
この発明によれば、入力スイッチング手段をオン状態にし、第１スイッチング手段をオフ状態にすることで、第１電荷保持手段に階調電圧に応じた電荷を保持させることができる。そして、入力スイッチング手段をオフ状態とし、第１スイッチング手段をオン状態とすることで、第１電荷保持手段に保持された電荷を電気光学素子に供給することができる。電気光学素子は電荷量に応じた光量の光を発光するので、その輝度は第１電荷保持手段に保持された電荷量に応じて定まる。このようにスイッチング手段を用いて回路を構成したので、スイッチング手段を例えばトランジスタを用いて構成する場合、飽和領域で動作させることが可能となり、トランジスタのしきい値電圧の影響を受けることなく、電気光学素子を発光させることができる。
【０００７】
また、本発明に係る他の電子回路は、入力端子と、第１電圧が供給される第１電源端子と、第２電圧が供給される第２電源端子と、前記第１電源端子と接続され、供給される電荷量に応じた光量の光を発光する電気光学素子と、前記第２電源端子と第１接続点との間に設けられ、電荷を保持する第１電荷保持手段と、前記第１接続点と第２接続点との間に設けられ、電荷を保持する第２電荷保持手段と、前記入力端子と前記第２接続点との間に設けられ、選択信号に基づいてオン状態とオフ状態が制御される入力スイッチング手段と、前記第１接続点と前記電気光学素子との間に設けられ、第１制御信号に基づいてオン状態とオフ状態が制御される第１スイッチング手段と、を備える。
【０００８】
この発明によれば、入力端子から初期化電圧を供給して、第２電荷保持手段に初期電荷を保持した後、入力端子から階調電圧を供給すると共に第１電荷保持手段と第２電荷保持手段との間で電荷を移動させることができる。この場合、電荷移動後に第１電荷保持手段に保持される電荷量は、第１電荷保持手段の容量値と第２電荷保持手段の容量値の比に依存し、第１電荷保持手段の絶対的な容量値から独立したものとなる。このため、複数の電子回路を集積化する場合に、輝度のばらつきに対するマージンを大きくすることが可能となる。
【０００９】
また、この電子回路において、第３電圧が供給される第３電源端子と、前記第３電源端子と前記第２接続点との間に設けられ、第２制御信号に基づいてオン状態とオフ状態が制御される第２スイッチング手段と、を備えることが好ましい。この場合、第３電圧として初期化電圧を与えれば、入力端子に供給する電圧として階調電圧を単に与えればよいので、初期化電圧と階調電圧とを時分割多重した電圧を入力端子に供給する必要がなくなる。このため、外部回路の機能を簡易化することができる。
さらに、上述した電子回路は、第４電圧が供給される第４電源端子と、前記第４電源端子と前記第１接続点との間に設けられ、第３制御信号に基づいてオン状態とオフ状態が制御される第３スイッチング手段と、を備えるものであってもよい。この場合、第４電圧を第１接続点に供給できるので、第１スイッチング手段を制御する第１制御信号を簡易にできる。
くわえて、上述した電子回路は、前記電気光学素子に蓄積された電荷を放電させる放電手段を備えることが好ましい。この場合、前回の発光時に電気光学素子に蓄積された電荷を放電させることができるので、正確に輝度を表示させることが可能となる。
【００１０】
次に、本発明に係る電子回路の制御方法は、入力端子と、第１電圧が供給される第１電源端子と、第２電圧が供給される第２電源端子と、前記第１電源端子と接続され、供給される電荷量に応じた光量の光を発光する電気光学素子と、前記第２電源端子と第１接続点との間に設けられ、電荷を保持する第１電荷保持手段と、前記入力端子と前記第１接続点との間に設けられた入力スイッチング手段と、前記電気光学素子と前記第１接続点との間に設けられた第１スイッチング手段とを備えた電子回路を制御する方法であって、書込期間において、表示すべき階調に応じた階調電圧を前記入力端子に供給し、前記入力スイッチング手段がオン状態となり、前記第１スイッチング手段がオフ状態となるように制御し、発光期間において、前記入力スイッチング手段がオフ状態となり、前記第１スイッチング手段がオン状態になるように前記第１スイッチング手段を制御する、ことを特徴とする。
【００１１】
この発明によれば、書込期間において、階調電圧が入力端子から供給され、第１電荷保持手段に階調電圧と第２電圧（実施形態の電荷保持基準電圧に相当）との差分の電圧に応じた電荷が保持される。そして、発光期間において、第１電荷保持手段に保持された電荷が電気光学素子に供給される。電気光学素子の光量は供給される電荷量によって定まり、当該電荷量は、第１電荷保持手段の容量値と上記差分の電圧に応じて定まる。従って、電気光学素子の輝度を階調電圧によって調整することが可能となる。また、この制御方法によれば、保持された電荷の移動によって電気光学素子の輝度を制御するので、スイッチング手段をトランジスタで構成しても、そのしきい値電圧のばらつきによって輝度がばらつくことがない。
【００１２】
また、本発明に係る電子回路の他の制御方法は、入力端子と、第１電圧が供給される第１電源端子と、第２電圧が供給される第２電源端子と、前記第１電源端子と接続され、供給される電荷量に応じた光量の光を発光する電気光学素子と、前記第２電源端子と第１接続点との間に設けられ、電荷を保持する第１電荷保持手段と、前記第１接続点と第２接続点との間に設けられ、電荷を保持する第２電荷保持手段と、前記入力端子と前記第２接続点との間に設けられた入力スイッチング手段と、前記第１接続点と前記電気光学素子との間に設けられた第１スイッチング手段とを備えた電子回路を制御する方法であって、初期化期間において、第３電圧を前記入力端子に供給し、前記入力スイッチング手段および前記第１スイッチング手段がオン状態になるように制御し、書込期間において、表示すべき階調に応じた階調電圧を前記入力端子に供給し、前記入力スイッチング手段がオン状態となり、第１スイッチング手段がオフ状態になるように制御し、発光期間において、前記入力スイッチング手段がオフ状態となり、前記第１スイッチング手段がオン状態になるように制御する、ことを特徴とする。
【００１３】
この発明によれば、初期化期間において入力端子から供給される第３電圧（実施形態の初期化電圧に相当）が第２電荷保持手段の一方の端子に供給され、その他方の端子には第１電圧に電気光学素子のしきい値電圧を加算した電圧が印加され、差分の電圧に応じた電荷が保持される。書込期間においては、第１電荷保持手段と第２電荷保持手段との間で電荷が移動する。この結果、電荷移動後の第１電荷保持手段に保持される電荷量は、第１電荷保持手段の容量値と第２電荷保持手段の容量値に依存し、第１電荷保持手段の容量値から独立したものとなる。発光期間においては、第１電荷保持手段に保持された電荷が電気光学素子に供給され、その電荷量に応じた輝度で電気光学素子が発光する。電荷量は、第１電荷保持手段の容量値と第２電荷保持手段の容量値の比に応じて定まるので、第１電荷保持手段の容量値を絶対的な基準に合わせ込む必要がなくなる。これにより、複数の電子回路を用いて画像を表示する場合に、複数の電気光学素子の輝度を容易に均一にすることが可能となる。
【００１４】
また、本発明に係る電子回路の他の制御方法は、入力端子と、第１電圧が供給される第１電源端子と、第２電圧が供給される第２電源端子と、第３電圧が供給される第３電源端子と、前記第１電源端子と接続され、供給される電荷量に応じた光量の光を発光する電気光学素子と、前記第２電源端子と第１接続点との間に設けられ、電荷を保持する第１電荷保持手段と、前記第１接続点と第２接続点との間に設けられ、電荷を保持する第２電荷保持手段と、前記入力端子と前記第２接続点との間に設けられた入力スイッチング手段と、前記第１接続点と前記電気光学素子との間に設けられた第１スイッチング手段と、前記第３電源端子と前記第２接続点との間に設けられた第２スイッチング手段とを備えた電子回路を制御する方法であって、初期化期間において、前記第１スイッチング手段および前記第２スイッチング手段がオン状態になるように制御し、書込期間において、表示すべき階調に応じた階調電圧を前記入力端子に供給し、前記入力スイッチング手段がオン状態となり、前記第１スイッチング手段および前記第２スイッチング手段がオフ状態になるように制御し、発光期間において、前記第１スイッチング手段がオン状態となり、前記入力スイッチング手段および前記第２スイッチング手段がオフ状態になるように制御する、ことを特徴とする。
【００１５】
この発明によれば、初期化期間において第２電荷保持手段の一方の端子に供給する第３電圧を、入力端子からではなく第３電源端子から供給する。これにより、入力端子から供給する電圧を階調電圧だけにできるので、階調電圧と第３電圧とを時分割多重して供給する必要がなくなる。この結果、簡易な方法で電気光学素子の輝度を制御することが可能となる。
【００１６】
また、本発明に係る電子回路の他の制御方法は、入力端子と、第１電圧が供給される第１電源端子と、第２電圧が供給される第２電源端子と、第３電圧が供給される第３電源端子と、第４電圧が供給される第４電源端子と、前記第１電源端子と接続され、供給される電荷量に応じた光量の光を発光する電気光学素子と、前記第２電源端子と第１接続点との間に設けられ、電荷を保持する第１電荷保持手段と、前記第１接続点と第２接続点との間に設けられ、電荷を保持する第２電荷保持手段と、前記入力端子と前記第２接続点との間に設けられた入力スイッチング手段と、前記第１接続点と前記電気光学素子との間に設けられた第１スイッチング手段と、前記第３電源端子と前記第２接続点との間に設けられた第２スイッチング手段と、前記第４電源端子と前記第１接続点との間に設けられた第３スイッチング手段とを備えた電子回路の制御方法であって、初期化期間において、前記第１スイッチング手段がオフ状態となり、前記第２スイッチング手段および前記第３スイッチング手段がオン状態となるように制御し、書込期間において、表示すべき階調に応じた階調電圧を前記入力端子に供給し、前記入力スイッチング手段がオン状態になり、前記第１スイッチング手段、前記第２スイッチング手段および前記第３スイッチング手段がオフ状態となるように制御し、発光期間において、前記第１スイッチング手段がオン状態になり、前記入力スイッチング手段、前記第２スイッチング手段および第３スイッチング手段がオフ状態になるように制御する、ことを特徴とする。
【００１７】
この発明によれば、初期化期間に第３スイッチング手段をオン状態にすることで、第２電荷保持手段の他方の端子（第１接続点）に第４電圧を供給することができる。他方の端子の電圧は電気光学素子のしきい値電圧に依存しないから、第１電荷保持手段に保持される電荷量は電気光学素子のしきい値電圧の影響を受けない。従って、電気光学素子のばらつきに影響されることなく、正確に輝度を表示させることが可能となる。
【００１８】
ここで、前記電子回路は、前記電気光学素子に蓄積された電荷を放電させる放電手段を備える場合は、前記第１スイッチング手段をオン状態とする期間以外の一部または全部において、前記電気光学素子に蓄積された電荷を放電するように前記放電手段を制御することが好ましい。この場合には、前回の発光期間において電気光学素子に供給された電荷を強制的に放電させることができるので、正確な輝度を表示させることが可能となる。
【００１９】
次に、本発明に係る電気光学装置は、複数の画素回路と、前記複数の画素回路の各々を駆動する駆動手段とを備え、前記複数の画素回路の各々は、入力端子と、第１電圧が供給される第１電源端子と、第２電圧が供給される第２電源端子と、前記第１電源端子と接続され、供給される電荷量に応じた光量の光を発光する電気光学素子と、前記第２電源端子と第１接続点との間に設けられ、電荷を保持する第１電荷保持手段と、前記入力端子と前記第１接続点との間に設けられ、選択信号に基づいてオン状態とオフ状態が制御される入力スイッチング手段と、前記電気光学素子と前記第１接続点との間に設けられ、第１制御信号に基づいてオン状態とオフ状態が制御される第１スイッチング手段とを備え、前記駆動手段は、書込期間において、表示すべき階調に応じた階調電圧を前記入力端子に供給し、前記入力スイッチング手段をオン状態にさせる前記選択信号を前記入力スイッチング手段に供給し、前記第１スイッチング手段をオフ状態にさせる前記第１制御信号を前記第１スイッチング手段に供給し、発光期間において、前記入力スイッチング手段をオフ状態にさせる前記選択信号を前記入力スイッチング手段に供給し、前記第１スイッチング手段をオン状態にさせる前記第１制御信号を前記第１スイッチング手段に供給することを特徴とする。
【００２０】
この電気光学装置によれば、書込期間において第１電荷保持手段に保持された電荷を発光期間において電気光学素子に供給することによって、電気光学素子を発光させるので、電気光学素子に供給する電流を制御する必要がない。従って、画素回路を単なるスイッチング手段によって構成することができる。この結果、トランジスタのしきい値電圧がばらついたとしても画面全体の輝度が均一となる。
【００２１】
また、本発明に係る他の電気光学装置は、複数の画素回路と、前記複数の画素回路の各々を駆動する駆動手段とを備え、前記複数の画素回路の各々は、入力端子と、第１電圧が供給される第１電源端子と、第２電圧が供給される第２電源端子と、前記第１電源端子と接続され、供給される電荷量に応じた光量の光を発光する電気光学素子と、前記第２電源端子と第１接続点との間に設けられ、電荷を保持する第１電荷保持手段と、前記第１接続点と第２接続点との間に設けられ、電荷を保持する第２電荷保持手段と、前記入力端子と前記第２接続点との間に設けられ、選択信号に基づいてオン状態とオフ状態が制御される入力スイッチング手段と、前記第１接続点と前記電気光学素子との間に設けられ、第１制御信号に基づいてオン状態とオフ状態が制御される第１スイッチング手段とを備え、前記駆動手段は、初期化期間において、第３電圧を前記入力端子に供給し、前記入力スイッチング手段をオン状態にさせる前記選択信号を前記入力スイッチング手段に供給し、前記第１スイッチング手段をオン状態とさせる前記第１制御信号を前記第１スイッチング手段に供給し、書込期間において、表示すべき階調に応じた階調電圧を前記入力端子に供給し、前記入力スイッチング手段をオン状態にさせる前記選択信号を前記入力スイッチング手段に供給し、前記第１スイッチング手段をオフ状態とさせる前記第１制御信号を前記第１スイッチング手段に供給し、発光期間において、前記入力スイッチング手段をオフ状態にさせる前記選択信号を前記入力スイッチング手段に供給し、前記第１スイッチング手段をオン状態にさせる前記第１制御信号を前記第１スイッチング手段に供給することを特徴とする。
【００２２】
この発明によれば、初期化期間において第２電荷保持手段に保持した電荷を、書込期間において、第１電荷保持手段と第２電荷保持手段との間で移動させる。このため、電荷移動後に第１電荷保持手段に保持される電荷量は、第１電荷保持手段の容量値と第２電荷保持手段の容量値の相対的な関係によって定まる。従って、画面全体の輝度を均一にするために、第１電荷保持手段の容量値を絶対基準に合わせ込む必要がなく、第１電荷保持手段の容量値と第２電荷保持手段の容量値の比が一定になるように製造すればよい。この結果、製造工程におけるばらつきに対するマージンを大きく取ることが可能となる。
【００２３】
また、本発明に係る他の電気光学装置は、複数の画素回路と、前記複数の画素回路の各々を駆動する駆動手段とを備え、前記複数の画素回路の各々は、入力端子と、第１電圧が供給される第１電源端子と、第２電圧が供給される第２電源端子と、第３電圧が供給される第３電源端子と、前記第１電源端子と接続され、供給される電荷量に応じた光量の光を発光する電気光学素子と、前記第２電源端子と第１接続点との間に設けられ、電荷を保持する第１電荷保持手段と、前記第１接続点と第２接続点との間に設けられ、電荷を保持する第２電荷保持手段と、前記入力端子と前記第２接続点との間に設けられ、選択信号に基づいてオン状態とオフ状態が制御される入力スイッチング手段と、前記第１接続点と前記電気光学素子との間に設けられ、第１制御信号に基づいてオン状態とオフ状態が制御される第１スイッチング手段と、前記第３電源端子と前記第２接続点との間に設けられ、第２制御信号に基づいてオン状態とオフ状態が制御される第２スイッチング手段とを備え、前記駆動手段は、初期化期間において、前記第１スイッチング手段および前記第２スイッチング手段がオン状態になるように制御し、書込期間において、表示すべき階調に応じた階調電圧を前記入力端子に供給し、前記入力スイッチング手段がオン状態となり、前記第１スイッチング手段および前記第２スイッチング手段がオフ状態になるように制御し、発光期間において、前記第１スイッチング手段がオン状態となり、前記入力スイッチング手段および前記第２スイッチング手段がオフ状態になるように制御する、ことを特徴とする。
【００２４】
この発明によれば、第２スイッチング手段を介して第３電圧を第２接続点に供給することができるので、駆動手段は、初期化期間と書込期間で異なる電圧を入力端子に供給する必要がない。従って、駆動手段は、第３電圧と階調電圧を切り替えることなく階調電圧のみを出力すればよく、その構成を簡易なものにすることができる。
【００２５】
また、本発明に係る他の電気光学装置は、複数の画素回路と、前記複数の画素回路の各々を駆動する駆動手段とを備え、前記複数の画素回路の各々は、入力端子と、第１電圧が供給される第１電源端子と、第２電圧が供給される第２電源端子と、第３電圧が供給される第３電源端子と、第４電圧が供給される第４電源端子と、前記第１電源端子と接続され、供給される電荷量に応じた光量の光を発光する電気光学素子と、前記第２電源端子と第１接続点との間に設けられ、電荷を保持する第１電荷保持手段と、前記第１接続点と第２接続点との間に設けられ、電荷を保持する第２電荷保持手段と、前記入力端子と前記第２接続点との間に設けられ、選択信号に基づいてオン状態とオフ状態が制御される入力スイッチング手段と、前記第１接続点と前記電気光学素子との間に設けられ、第１制御信号に基づいてオン状態とオフ状態が制御される第１スイッチング手段と、前記第３電源端子と前記第２接続点との間に設けられ、第２制御信号に基づいてオン状態とオフ状態が制御される第２スイッチング手段と、前記第４電源端子と前記第１接続点との間に設けられ、第３制御信号に基づいてオン状態とオフ状態が制御される第３スイッチング手段とを備え、前記駆動手段は、初期化期間において、前記第１スイッチング手段をオフ状態にさせる前記第１制御信号を前記第１スイッチング手段に供給し、前記第２スイッチング手段をオン状態にさせる前記第２制御信号を前記第２スイッチング手段に供給し、前記第３スイッチング手段をオン状態にさせる前記第３制御信号を前記第３スイッチング手段に供給し、書込期間において、表示すべき階調に応じた階調電圧を前記入力端子に供給し、前記入力スイッチング手段をオン状態にさせる前記選択信号を前記入力スイッチング手段に供給し、前記第１スイッチング手段をオフ状態にさせる前記第１制御信号を前記第１スイッチング手段に供給し、前記第２スイッチング手段をオフ状態にさせる前記第２制御信号を前記第２スイッチング手段に供給し、前記第３スイッチング手段をオフ状態にさせる前記第３制御信号を前記第３スイッチング手段に供給し、発光期間において、前記第１スイッチング手段をオン状態にさせる前記第１制御信号を前記第１スイッチング手段に供給し、前記入力スイッチング手段をオフ状態にさせる前記選択信号を前記入力スイッチング手段に供給し、前記第２スイッチング手段をオフ状態にさせる前記第２制御信号を前記第２スイッチング手段に供給し、前記第３スイッチング手段をオフ状態にさせる前記第３制御信号を前記第３スイッチング手段に供給することを特徴とする。
【００２６】
この発明によれば、初期化期間において第３スイッチング手段を介して第４電圧を第１接続点に供給するので、第２電荷保持手段に印加される電圧を電気光学素子のしきい値電圧と無関係にすることができる。従って、各電気光学素子のしきい値電圧がばらついたとしても画面全体の輝度を均一に保つことができる。
【００２７】
ここで、上述した電気光学装置において、前記駆動手段は、前記第３制御信号の替わりに前記第２制御信号を前記第３スイッチング手段に供給することが好ましい。この場合、第２制御信号（実施形態の第１初期化信号）が第３制御信号（実施形態の第２初期化信号）を兼用するので、駆動手段の構成を簡易にできると共に、個別の信号を引き回す場合と比較して配線構造を簡略化できる。
【００２８】
また、上述した電気光学装置において、前記複数の画素回路の各々は、前記電気光学素子に蓄積された電荷を放電させる放電手段を備え、前記駆動手段は、前記第１スイッチング手段をオン状態とする期間以外の一部または全部において、前記電気光学素子に蓄積された電荷を放電するように前記放電手段を制御することが好ましい。この場合には、前回の発光期間において電気光学素子に蓄積された電荷を強制的に放電させるので、輝度を正確に表示させることができる。
【００２９】
また、上述した電気光学装置において、前記複数の画素回路の各々は、前記電気光学素子と並列に接続され、放電制御信号に基づいてオン状態とオフ状態が制御される放電用スイッチング手段を備え、前記駆動手段は、前記放電制御信号として前記選択信号を前記放電用スイッチング手段へ供給することが好ましい。この場合には、放電制御信号を選択信号と兼用することができるので、駆動手段の構成を簡易なものにすることができ、くわえて、配線構造を簡略化できる。
【００３０】
また、上述した電気光学装置は、前記第２電源端子に対して前記第１電圧を供給することが好ましい。さらに、上述した電気光学装置は、前記第３電源端子に対して前記第１電圧、または、前記第２電圧のいずれかを供給してもよい。くわえて、上述した電気光学装置は、前記第４電源端子に対して前記第１電圧、または、前記第２電圧、または、前記第３電圧のいずれかを供給してもよい。
【００３１】
次に、本発明に係る電子機器は、上述した電気光学装置を備えるものであって、例えば、パーソナルコンピュータ、携帯電話機、携帯情報端末、モニター、デジタルスチルカメラ、ビューファインダ等が含まれる。
【発明を実施するための最良の形態】
【００３２】
＜１．第１実施形態＞
図１は、本発明の第１実施形態に係る電気光学装置１の概略構成を示すブロック図である。電気光学装置１は、画素領域Ａ、走査線駆動回路１００、データ線駆動回路２００、制御回路３００及び電源回路５００を備える。このうち、画素領域Ａには、Ｘ方向と平行にｍ本の走査線１０１及びｍ本の発光制御線１０２が形成される。また、Ｘ方向と直交するＹ方向と平行にｎ本のデータ線１１０が形成される。そして、走査線１０１とデータ線１１０との各交差に対応して画素回路４００Ａが各々設けられている。画素回路４００ＡはＯＬＥＤ素子を含む。
【００３３】
走査線駆動回路１００は、複数の走査線１０１を順次選択するための走査信号（選択信号）Ｙ１、Ｙ２、Ｙ３、…、Ｙｍを生成すると共に発光制御信号Ｖｇ-１、Ｖｇ-２、Ｖｇ-３、…Ｖｇ-ｍを生成する。走査信号Ｙ１〜Ｙｍ及び発光制御信号Ｖｇ-１〜Ｖｇ-ｍはＹ転送開始パルスＤＹをＹクロック信号ＹＣＬＫに同期して順次転送することにより生成される。発光制御信号Ｖｇ-１、Ｖｇ-２、Ｖｇ-３、…、Ｖｇ-ｍは、各発光制御線１０２を介して各画素回路４００Ａに各々供給される。
データ線駆動回路２００は、出力階調データＤｏｕｔに基づいて生成したデータ信号Ｘ１〜Ｘｎを、１〜ｎ列目のデータ線１１０を介して、走査線駆動回路１００によって選択された行に位置する１〜ｎ列の画素回路４００Ａの各々に供給するものである。第１実施形態におけるデータ信号Ｘ１〜Ｘｎは、当該画素回路４００ＡのＯＬＥＤ素子に流すべき電流（すなわち、画素の階調）に応じた階調電圧となっている。
なお、説明の便宜上、ｊ列目（ｊは、１≦ｊ≦ｎを満たす整数であり、列を一般化して説明するためのもの）のデータ線１１０に供給されるデータ信号をＸｊと表記する。また、ｉ（ｉは、１≦ｉ≦ｍを満たす整数）行目の走査線１０１に供給される走査信号をＹｉと表記する。
【００３４】
制御回路３００は、Ｙクロック信号ＹＣＬＫ、Ｘクロック信号ＸＣＬＫ、Ｘ転送開始パルスＤＸ、Ｙ転送開始パルスＤＹ等の各種の制御信号を生成してこれらを走査線駆動回路１００及びデータ線駆動回路２００へ出力する。また、制御回路３００は、外部から供給されるデジタル階調データＤｉｎにＤＡ変換、ガンマ補正等の信号処理を施して出力階調データＤｏｕｔを生成する。
電源回路５００は、各画素回路４００Ａに低電位側電圧ＶＬ（第１電圧）と電荷保持基準電圧ＶＣ（第２電圧）とを供給する。なお、ＶＬ≦ＶＣであることが好ましい。
【００３５】
次に、画素回路４００Ａについて説明する。図２に、ｉ行ｊ列に位置する画素回路４００Ａの回路図を示す。画素回路４００Ａは、２個のＴＦＴ４０１および４０２と、第１容量素子４１０と、ＯＬＥＤ素子４２０とを備える。ＴＦＴ４０１および４０２の製造プロセスでは、レーザーアニールショットを利用してガラス基板の上にポリシリコン層が形成される。また、ＯＬＥＤ素子４２０は、陽極と陰極との間に発光層が挟持されている。そして、ＯＬＥＤ素子４２０は、順方向電流に応じた輝度で発光する。発光層には、発光色に応じた有機ＥＬ（Electronic Luminescence）材料が用いられる。発光層の製造プロセスでは、例えば、インクジェット方式のヘッドから有機ＥＬ材料を液滴として吐出し、これを乾燥させている。
【００３６】
ＴＦＴ４０１のソース電極はデータ線１１０に接続される。一方、そのドレイン電極は第１接続点Ｚ１に接続される。ＴＦＴ４０２のドレイン電極は第１接続点Ｚ１に接続され、そのソース電極はＯＬＥＤ素子４２０の陽極に接続される。そして、ＴＦＴ４０１のゲート電極は走査線１０１に接続され、走査信号Ｙｉが供給される。一方、ＴＦＴ４０２のゲート電極は発光制御線１０２に接続され発光制御信号Ｖg-iが供給される。ＴＦＴ４０１および４０２は、オン・オフ動作を行うスイッチング手段として機能し、本発明においてＴＦＴ４０１が入力スイッチング手段、ＴＦＴ４０２が第１スイッチング手段に相当する。
【００３７】
ＴＦＴ４０１のソース電極とデータ線１１０との接続点は、当該画素回路４００Ａにデータ信号Ｘｊを取り込む入力端子として機能する。また、ＯＬＥＤ素子４２０の陰極は図示せぬ第１電源線と接続されており、第１電源線を介して低電位側電圧ＶＬが供給される。陰極と第１電源線の接続点は低電位側電圧ＶＬを取り込む第１電源端子として機能する。さらに、第１容量素子４１０の一方の端子は図示せぬ第２電源線と接続されており、他方の端子は第１接続点Ｚ１に接続される。第２電源線を介して電荷保持基準電圧ＶＣが第１容量素子４１０に供給される。第１容量素子４１０と第２電源線の接続点は電荷保持基準電圧ＶＣを取り込む第２電源端子として機能する。
【００３８】
図３に画素回路４００Ａのタイミングチャートの一例を示す。また、図４および図５に画素回路４００Ａの等価回路を示す。本実施形態における画素回路４００Ａの動作は、書込期間ＴＷＲＴと発光期間ＴＥＬに大別される。
走査信号Ｙ１は、１垂直走査期間（１Ｖ）の最初のタイミングから、１水平走査期間（１Ｈ）に略相当する幅のパルスであって、１行目の走査線１０１に供給される。以降、このパルスを順次シフトして、２、３、…、ｍ行目の走査線１０１の各々に走査信号Ｙ２、Ｙ３、…、Ｙｍが供給される。ｉ行目の走査信号ＹｉがＨレベルになると、当該走査線１０１が選択される。
【００３９】
ｉ行ｊ列目の画素回路４００Ａにおいて、走査信号ＹｉがＨレベルになると、ＴＦＴ４０１がオン状態となり、データ信号Ｘｊが第１容量素子４１０に供給される。以下の説明では、データ信号Ｘｊの階調電圧をＶdata、第１容量素子４１０の容量値をＣ１とする。書込期間ＴＷＲＴでは、図４に示すようにＴＦＴ４０１がオン状態、ＴＦＴ４０２がオフ状態となり、第１容量素子４１０に電圧（Ｖdata−ＶＣ）が印加される。従って、第１容量素子４１０に蓄積される保持電荷量Ｑ１は以下の式（１）で与えられる。
Ｑ１＝（Ｖdata−ＶＣ）×Ｃ１…（１）
【００４０】
次に、発光期間ＴＥＬでは、図５に示すように、ＴＦＴ４０１がオフ状態、ＴＦＴ４０２がオン状態となり、第１容量素子４１０に保持された電荷ＱがＯＬＥＤ素子４２０に流れる。ＯＬＥＤ素子４２０の光量は、ＯＬＥＤ素子４２０に流れる電流Ｉoledと時間ｔとの積によって定まる。従って、ＯＬＥＤ素子４２０の輝度は、保持電荷量Ｑ１に比例する。
【００４１】
この駆動方法によれば、単位時間（この例では、１垂直走査期間）当たりにＯＬＥＤ素子４２０へ供給する電荷を第１容量素子４１０に書き込み、書き込まれた電荷をＯＬＥＤ素子４２０に供給している。ＯＬＥＤ素子４２０の輝度は、電荷量Ｑ１に依存するから、電圧Ｖdata、低電位側電圧ＶＬ、電荷保持基準電圧ＶＣ、および容量値Ｃ１によってのみ定まる。すなわち、ＴＦＴ４０１およびＴＦＴ４０２は単にスイッチング手段として機能するだけであるから、それらの電気的特性にばらつきが生じてもＯＬＥＤ素子４２０の輝度に影響しない。よって、画面全体を均一な輝度で表示することが可能となる。なお、図２ではＴＦＴ４０２をＮ型ＴＦＴとしているが、これをＰ型ＴＦＴとして、ＴＦＴ４０２のゲート制御を走査信号Ｙiで行うようにしても良い。その場合、発光制御信号Ｖg-iが不要となり、構成の簡略化がはかれる。また、電荷保持基準電圧ＶＣの替わりに低電位側電圧ＶＬを用いても良い。その場合、ＶＣとして特別な電源を供給する必要がなくなるので、構成を簡略化できる。
【００４２】
＜２．第２実施形態＞
第２実施形態の電気光学装置１０は、画素回路４００Ａの替わりに画素回路４００Ｂを用いる点を除いて、第１実施形態と同様に構成されている。
図６にｉ行ｊ列に位置する画素回路４００Ｂの回路図を示す。画素回路４００Ｂでは、ＯＬＥＤ素子４２０と並列にＴＦＴ４０３が設けられている。ＴＦＴ４０３のドレイン電極はＯＬＥＤ素子４２０の陽極と接続され、そのソース電極はＯＬＥＤ素子４２０の陰極と接続されている。さらに、ＴＦＴ４０３のゲート電極は放電制御線１０３と接続されており、放電制御信号Ｖdis-iが放電制御線１０３を介して走査線駆動回路１００から供給される。ＴＦＴ４０３はＯＬＥＤ素子４２０に蓄積された電荷を放電させる放電手段として機能する。
【００４３】
図７に画素回路４００Ｂのタイミングチャートの一例を示す。また、図８〜図１０に画素回路４００Ｂの等価回路を示す。まず、時刻ｔ１から時刻ｔ２の期間においては、走査信号ＹｉがＨレベルで、発光制御信号Ｖg-iおよび放電制御信号Ｖdis-iがＬレベルであるから、ＴＦＴ４０１がオン状態となり、ＴＦＴ４０２および４０３がオフ状態となる。この結果、図８に示すように電圧Ｖdataが第１容量素子４１０に供給され、電荷が保持される。
【００４４】
次に、時刻ｔ２から時刻ｔ３の放電期間Ｔdisにおいては、放電制御信号Ｖdis-iがＨレベルになるので、ＴＦＴ４０３がオン状態となる。この結果、図９に示すようにＯＬＥＤ素子４２０の陽極と陰極とが短絡され、ＯＬＥＤ素子４２０に蓄積された電荷が放電される。このとき、ＴＦＴ４０２はオフ状態となっているので、第１容量素子４１０への電荷の書き込みが同時に行われる。さらに、時刻ｔ３から時刻ｔ４までの期間においては、時刻ｔ１から時刻ｔ２までと同様に電荷の書き込みが行われる。そして、発光期間ＴＥＬにおいては、図１０に示すようにＴＦＴ４０１および４０３がオフ状態となる一方、ＴＦＴ４０２がオン状態となってＯＬＥＤ素子４２０に電荷が供給される。
【００４５】
本実施形態によれば、ＯＬＥＤ素子４２０に蓄積された電荷を放電したので、前回の発光期間ＴＥＬにおけるＯＬＥＤ素子４２０の状態によって、今回の発光期間ＴＥＬにおける表示輝度が影響されないようにできる。この結果、正確な輝度を表示することが可能となり、表示品質を向上させることが可能となる。
なお、放電制御信号Ｖdis-iの替わりに走査信号Ｙｉを用いてもよい。この場合は、放電制御信号Ｖdis-iを個別に生成する必要がないので走査駆動回路１００の構成を簡略化でき、さらに放電制御線１０３を省略して配線構造を簡易にできる。
【００４６】
＜３．第３実施形態＞
第３実施形態の電気光学装置１０は、画素回路４００Ａの替わりに画素回路４００Ｃを用いる点を除いて、第１実施形態と同様に構成されている。
図１１にｉ行ｊ列に位置する画素回路４００Ｃの回路図を示す。画素回路４００Ｃは、ＴＦＴ４０１と第１接続点Ｚ１との間に第２容量素子４１１を備える。なお、以下の説明では、ＴＦＴ４０１と第２容量素子４１１の接続点を第２接続点Ｚ２と称する。
図１２に画素回路４００Ｃのタイミングチャートの一例を示す。また、図１３〜図１５に画素回路４００Ｃの等価回路を示す。本実施形態の画素回路４００Ｃの動作は、初期化期間Ｔｉｎｉｔ、書込期間ＴＷＲＴおよび発光期間ＴＥＬに大別される。
【００４７】
本実施形態において、データ線駆動回路２００は、初期化期間Ｔｉｎｉｔにおいて初期化電圧Ｖinitとなり、書込期間ＴＷＲＴにおいて階調電圧Ｖdataとなるデータ信号Ｘｊを生成する。初期化期間Ｔｉｎｉｔにおいては、走査信号Ｙｉおよび発光制御信号Ｖg-iがＨレベルであるから、ＴＦＴ４０１および４０２がオン状態となる。この結果、図１３に示すように第２接続点Ｚ２の電圧は初期化電圧Ｖinitとなる。ここで、ＯＬＥＤ素子４２０のしきい値電圧をＶtoledとすると、第１接続点Ｚ１の電圧は、ＶＬ＋Ｖtoledとなる。従って、第２容量素子４１１の印加電圧はＶinit−（ＶＬ＋Ｖtoled）となる。
【００４８】
次に、書込期間ＴＷＲＴにおいては、発光制御信号Ｖg-iがＬレベルとなるので、ＴＦＴ４０２がオフ状態となる。また、データ信号Ｘｊとして階調電圧Ｖdataが供給される。
この結果、図１４に示すように第１容量素子４１０および第２容量素子４１１の間で電荷が移動する。この状態における第１容量素子４１０の保持電荷量をＱ２、第２容量素子４１１の容量値をＣ２とすれば、保持電荷量Ｑ２は、以下の式（２）で与えられる。
Ｑ２＝[(Ｖdata−Ｖinit){Ｃ２/(Ｃ１+Ｃ２)}+ＶＬ+Ｖtoled−ＶＣ]×Ｃ１…（２）
【００４９】
そして、発光期間ＴＥＬでは、走査信号ＹｉがＬレベル、発光制御信号Ｖg-iがＨレベルとなるので、ＴＦＴ４０１がオフ状態、ＴＦＴ４０２がオン状態となる。この結果、図１５に示すように第１容量素子４１０から電荷がＯＬＥＤ素子４２０に供給される。このとき、ＯＬＥＤ素子４２０には、保持電荷量Ｑ２が供給される。
【００５０】
ＯＬＥＤ素子４２０の輝度は保持電荷量Ｑ２に比例するが、式（２）より保持電荷量Ｑ２は容量値Ｃ１と容量値Ｃ２の比で与えられる。このことは、画面全体を均一に表示する点で重要である。すなわち、第１実施形態において、保持電荷量Ｑ１は容量値Ｃ１に依存したので、均一な表示を得るためには、第１容量素子４１０の容量値Ｃ１を画面全体において絶対基準に合わせ込む必要があった。これに対して、本実施形態では、容量値Ｃ１と容量値Ｃ２の相対関係を一定に保てば足りるので、製造プロセスのばらつきに対するマージンを大幅に拡大することが可能となる。
【００５１】
＜４．第４実施形態＞
第４実施形態の電気光学装置１０は、画素回路４００Ｃの替わりに画素回路４００Ｄを用いる点を除いて、第３実施形態と同様に構成されている。
図１６にｉ行ｊ列に位置する画素回路４００Ｄの回路図を示す。画素回路４００Ｄでは、ＯＬＥＤ素子４２０と並列にＴＦＴ４０３が設けられている。ＴＦＴ４０３のドレイン電極はＯＬＥＤ素子４２０の陽極と接続され、そのソース電極はＯＬＥＤ素子４２０の陰極と接続されている。さらに、ＴＦＴ４０３のゲート電極は放電制御線１０３と接続されており、放電制御信号Ｖdis-iが放電制御線１０３を介して走査線駆動回路１００から供給される。ＴＦＴ４０３はＯＬＥＤ素子４２０に蓄積された電荷を放電させる放電手段として機能する。
【００５２】
図１７に画素回路４００Ｄのタイミングチャートの一例を示す。また、図１８〜図２０に画素回路４００Ｄの等価回路を示す。まず、初期化期間Ｔｉｎｉｔにおいては、走査信号Ｙｉおよび発光制御信号Ｖg-iがＨレベルで、放電制御信号Ｖdis-iがＬレベルであるから、ＴＦＴ４０１およびＴＦＴ４０２がオン状態となり、ＴＦＴ４０３がオフ状態となる。この結果、図１８に示すように第２容量素子４１１には電圧Ｖinit−（ＶＬ＋Ｖtoled）が印加される。
【００５３】
次に、書込期間ＴＷＲＴにおいては、発光制御信号Ｖg-iがＬレベルとなる一方、放電制御信号Ｖdis-iがＨレベルとなるので、第１容量素子４１０と第２容量素子４１１との間で電荷が移動すると共に、ＴＦＴ４０３がオン状態となる。この結果、図１９に示すようにＯＬＥＤ素子４２０の陽極と陰極とが短絡され、ＯＬＥＤ素子４２０に蓄積された電荷が放電される。このとき、ＴＦＴ４０２はオフ状態となっているので、電荷の移動は第１容量素子４１０と第２容量素子４１１との間でのみ行われる。発光期間ＴＥＬにおいては、図２０に示すようにＴＦＴ４０１および４０３がオフ状態となる一方、ＴＦＴ４０２がオン状態となって、ＯＬＥＤ素子４２０に上述した電荷Ｑ２が供給される。
Ｑ２＝[(Ｖdata−Ｖinit){Ｃ２/(Ｃ１+Ｃ２)}+ＶＬ+Ｖtoled−ＶＣ]×Ｃ１…（２）
【００５４】
本実施形態によれば、ＯＬＥＤ素子４２０に蓄積された電荷を放電したので、前回の発光期間ＴＥＬにおけるＯＬＥＤ素子４２０の状態によって、今回の発光期間ＴＥＬにおける表示輝度が影響されないようにできる。この結果、正確な輝度を表示することが可能となり、表示品質を向上させることが可能となる。
【００５５】
なお、放電制御信号Ｖdis-iの替わりに走査信号Ｙｉを用いてもよい。この場合には、放電制御信号Ｖdis-iを走査線駆動回路１００で生成する必要がないので、走査線駆動回路１００の構成を簡易なものにすることができ、さらに、放電制御線１０３を省略できるので、配線構造を簡易なものにすることが可能となる。
【００５６】
ところで、初期化期間Ｔｉｎｉｔと放電期間Ｔdisとを排他的に設ける場合には、図１８に示すように第２容量素子４１１の印加電圧はＶinit−（ＶＬ＋Ｖtoled）となる。しかしながら、放電制御信号Ｖdis-iの替わりに走査信号Ｙｉを用いると、初期化期間Ｔｉｎｉｔと放電期間Ｔdisとが重なることになる。この場合、画素回路４００Ｄは図２１に示す等価回路で表すことができる。同図から明らかなように初期化期間Ｔｉｎｉｔにおける第１接続点Ｚ１の電圧は低電位側電圧ＶＬとなるから、第２容量素子４１１の印加電圧は（Ｖinit−ＶＬ）となる。すなわち、初期化期間Ｔｉｎｉｔと放電期間Ｔdisとを重複させることにより、しきい値電圧Ｖtoledの項を除去することができる。この結果、書込期間ＴＷＲＴにおける電荷移動後に第１容量素子４１０に保持される保持電荷量をＱ３とすると、保持電荷量Ｑ３は以下の式（３）で与えられる。
Ｑ３＝[(Ｖdata−Ｖinit){Ｃ２/(Ｃ１+Ｃ２)}+ＶＬ−ＶＣ]×Ｃ１…（３）
ＯＬＥＤ素子４２０の輝度は保持電荷量Ｑ３に比例するが、式（３）から明らかなように、そのしきい値電圧Ｖtoledに依存しない。従って、画面全体でＯＬＥＤ素子４２０のしきい値電圧Ｖtoledがばらついたとしても、均一な輝度を表示することが可能となる。
【００５７】
＜５．第５実施形態＞
第５実施形態の電気光学装置１０は、画素回路４００Ｃの替わりに画素回路４００Ｅを用いる点を除いて、第３実施形態と同様に構成されている。
図２２にｉ行ｊ列に位置する画素回路４００Ｅの回路図を示す。画素回路４００Ｅは、ＴＦＴ４０４を備える。ＴＦＴ４０４のドレイン電極は第２接続点Ｚ２と接続され、そのソース電極は図示せぬ第３電源線と接続される。第３電源線を介して初期化電圧Ｖinit（第３電圧）が供給される。ＴＦＴ４０４と第３電源線の接続点は初期化電圧Ｖinitを取り込む第３電源端子として機能する。また、ＴＦＴ４０４のゲート電極は、第１初期化制御線１０４と接続されており、第１初期化制御線１０４を介して初期化信号Ｇini1-iが走査線駆動回路１００から供給される。初期化信号Ｇini1-iは初期化期間Ｔｉｎｉｔにおいてアクティブ（Ｈレベル）となる信号である。
【００５８】
図２３に画素回路４００Ｅのタイミングチャートの一例を示す。また、図２４〜図２６に画素回路４００Ｅの等価回路を示す。本実施形態の画素回路４００Ｅの動作は、初期化期間Ｔｉｎｉｔ、書込期間ＴＷＲＴおよび発光期間ＴＥＬに大別され、この点は、第３実施形態と同様である。初期化期間Ｔｉｎｉｔにおいて、発光制御信号Ｖg-iおよび初期化信号Ｇini1-iがＨレベルとなるので、ＴＦＴ４０２およびＴＦＴ４０４がオン状態となる。この結果、図２４に示すように第２接続点Ｚ２の電圧は初期化電圧Ｖinitとなる一方、第１接続点Ｚ１の電圧はＶＬ＋Ｖtoledとなる。従って、第２容量素子４１１の印加電圧は、第３実施形態と同様にＶinit−（ＶＬ＋Ｖtoled）となる。
【００５９】
次に、書込期間ＴＷＲＴにおいては、発光制御信号Ｖg-iおよび初期化信号Ｇini1-iがＬレベルとなるので、ＴＦＴ４０２およびＴＦＴ４０４がオフ状態となる。また、データ信号Ｘｊとして階調電圧Ｖdataがデータ線駆動回路２００から供給される。この結果、図２５に示すように第１容量素子４１０および第２容量素子４１１の間で電荷が移動する。この状態における第１容量素子４１０の保持電荷量は、第３実施形態で説明した式（２）で与えられるＱ２となる。そして、発光期間ＴＥＬでは、走査信号Ｙｉおよび初期化信号Ｇini1-iがＬレベル、発光制御信号Ｖg-iがＨレベルとなるので、ＴＦＴ４０１およびＴＦＴ４０４がオフ状態、ＴＦＴ４０２がオン状態となる。この結果、図２６に示すように第１容量素子４１０から電荷がＯＬＥＤ素子４２０に供給される。このとき、ＯＬＥＤ素子４２０には保持電荷量Ｑ２が供給されるので、ＯＬＥＤ素子４２０は保持電荷量Ｑ２に応じた輝度で発光する。
【００６０】
本実施形態においては、初期化電圧Ｖinitは、ＴＦＴ４０４を介して供給したので、データ線駆動回路２００から初期化電圧Ｖinitを供給する必要がなくなる。第３実施形態では、データ信号Ｘｊに初期化電圧Ｖinitと階調電圧Ｖdataとを時分割多重したので、データ線駆動回路２００にはこれらの電圧を切り替える機能を持たせる必要があった。これに対して本実施形態では、データ線駆動回路２００の構成を簡易なものにすることができる。
【００６１】
なお、初期化信号Ｇini1-iの替わりに発光制御信号Ｖｇ-iを用いてもよい。この場合は、放電制御信号Ｖdis-iの替わりに走査信号Ｙｉを用いてもよい。この場合は、初期化信号Ｇini1-iを個別に生成する必要がないので走査駆動回路１００の構成を簡略化でき、さらに第１初期化制御線１０４を省略して配線構造を簡易にできる。
また、初期化信号Ｇini1-iおよび発光制御信号Ｖｇ-iがＨレベルとなる期間を当該画素回路４００Ｅが選択される水平走査期間（１Ｈ）の前に設定してもよい。これにより、書込期間ＴＷＲＴの時間を長く取ることができる。また、初期化電圧Ｖinitの替わりに低電位側電圧ＶＬ、または、電荷保持基準電圧ＶＣを用いても良い。その場合、Ｖinitとして特別な電源を供給する必要がなくなるので、構成を簡略化できる。
【００６２】
＜６．第６実施形態＞
第６実施形態の電気光学装置１０は、画素回路４００Ｅの替わりに画素回路４００Ｆを用いる点を除いて、第５実施形態と同様に構成されている。
図２７にｉ行ｊ列に位置する画素回路４００Ｆの回路図を示す。画素回路４００Ｆでは、ＯＬＥＤ素子４２０と並列にＴＦＴ４０３が設けられている。
図２８に画素回路４００Ｆのタイミングチャートの一例を示す。また、図２９〜図３１に画素回路４００Ｆの等価回路を示す。まず、初期化期間Ｔｉｎｉｔにおいては、発光制御信号Ｖg-iおよび初期化信号Ｇini1-iがＨレベルとなり、走査信号Ｙｉおよび放電制御信号Ｖdis-iがＬレベルとなるから、ＴＦＴ４０２およびＴＦＴ４０４がオン状態となり、ＴＦＴ４０１およびＴＦＴ４０３がオフ状態となる。この結果、図２９に示すように第２容量素子４１１には電圧Ｖinit−（ＶＬ＋Ｖtoled）が印加される。
【００６３】
次に、書込期間ＴＷＲＴにおいては、発光制御信号Ｖg-iおよび初期化信号Ｇini1-iがＬレベルとなる一方、走査信号Ｙｉおよび放電制御信号Ｖdis-iがＨレベルとなるから、第１容量素子４１０と第２容量素子４１１との間で電荷が移動すると共に、ＴＦＴ４０３がオン状態となる。この結果、図３０に示すようにＯＬＥＤ素子４２０の陽極と陰極とが短絡され、ＯＬＥＤ素子４２０に蓄積された電荷が放電される。そして、発光期間ＴＥＬにおいては、図３１に示すようにＴＦＴ４０１、４０３、および４０４がオフ状態となる一方、ＴＦＴ４０２がオン状態となって、ＯＬＥＤ素子４２０に上述した電荷Ｑ２が供給される。
本実施形態によれば、第２および第４実施形態と同様に、ＯＬＥＤ素子４２０に蓄積された電荷を放電したので、前回の発光期間ＴＥＬにおけるＯＬＥＤ素子４２０の状態によって、今回の発光期間ＴＥＬにおける表示輝度が影響されないようにできる。この結果、正確な輝度を表示することが可能となり、表示品質を向上させることが可能となる。
【００６４】
なお、放電制御信号Ｖdis-iの替わりに走査信号Ｙｉを用いてもよい。この場合には、放電制御信号Ｖdis-iを走査線駆動回路１００で生成する必要がないので、走査線駆動回路１００の構成を簡易なものにすることができ、さらに、放電制御線１０３を省略できるので、配線構造を簡易なものにすることが可能となる。
【００６５】
また、初期化期間Ｔｉｎｉｔと放電期間Ｔdisとが重複するように設定してもよい。この場合、画素回路４００Ｆは図３２に示す等価回路で表すことができる。同図から明らかなように初期化期間Ｔｉｎｉｔにおける第１接続点Ｚ１の電圧は低電位側電圧ＶＬとなるから、第２容量素子４１１の印加電圧は（Ｖinit−ＶＬ）となる。すなわち、初期化期間Ｔｉｎｉｔと放電期間Ｔdisとを重複させることにより、しきい値電圧Ｖtoledの項を除去することができる。この結果、書込期間ＴＷＲＴにおける電荷移動後に第１容量素子４１０に保持される保持電荷量をＱ３とすると、保持電荷量Ｑ３は以下の式（３）で与えられる。
Ｑ３＝[(Ｖdata−Ｖinit){Ｃ２/(Ｃ１+Ｃ２)}+ＶＬ−ＶＣ]×Ｃ１…（３）  
ＯＬＥＤ素子４２０の輝度は保持電荷量Ｑ３に比例するが、式（３）から明らかなように、そのしきい値電圧Ｖtoledに依存しない。従って、画面全体でＯＬＥＤ素子４２０のしきい値電圧Ｖtoledがばらついたとしても、均一な輝度を表示することが可能となる。
【００６６】
＜７．第７実施形態＞
第７実施形態の電気光学装置１０は、画素回路４００Ｅの替わりに画素回路４００Ｇを用いる点を除いて、第５実施形態と同様に構成されている。
図３３にｉ行ｊ列に位置する画素回路４００Ｇの回路図を示す。画素回路４００Ｇは、ＴＦＴ４０５を備える。ＴＦＴ４０５のソース電極は第１接続点Ｚ１と接続され、そのドレイン電極は図示せぬ第４電源線と接続される。第４電源線を介して第２低電位側電圧ＶＲ（第４電圧）が供給される。ＴＦＴ４０５と第４電源線の接続点は第２低電位側電圧ＶＲを取り込む第４電源端子として機能する。また、ＴＦＴ４０５のゲート電極は、第２初期化制御線１０５と接続されており、第２初期化制御線１０５を介して第２初期化信号Ｇini2-iが走査線駆動回路１００から供給される。第２初期化信号Ｇini2-iは初期化期間Ｔｉｎｉｔにおいてアクティブ（Ｈレベル）となる信号である。なお、以下の説明では、第１電源端子を介して供給される低電位側電圧ＶＬを第２低電位側電圧ＶＲと区別するため第１低電位側電圧ＶＬと称する。また、ＴＦＴ４０４に供給される初期化信号Ｇini1-iを第２初期化信号Ｇini2-iと区別するため第１初期化信号Ｇini1-iと称する。
【００６７】
図３４に画素回路４００Ｇのタイミングチャートの一例を示す。また、図３５〜図３７に画素回路４００Ｇの等価回路を示す。本実施形態の画素回路４００Ｇの動作は、初期化期間Ｔｉｎｉｔ、書込期間ＴＷＲＴおよび発光期間ＴＥＬに大別され、この点は、第５実施形態と同様である。初期化期間Ｔｉｎｉｔにおいて、第１初期化信号Ｇini1-iおよび第２初期化信号Ｇini2-iがＨレベルとなるので、ＴＦＴ４０４およびＴＦＴ４０５がオン状態となる。一方、走査信号Ｙｉおよび発光制御信号Ｖｇ-iはＬレベルとなるので、ＴＦＴ４０１およびＴＦＴ４０２はオフ状態となる。この結果、図３５に示すように第２接続点Ｚ２の電圧は初期化電圧Ｖinitとなる一方、第１接続点Ｚ１の電圧はＶＲとなる。従って、第２容量素子４１１の印加電圧は、Ｖinit−ＶＲとなる。
【００６８】
次に、書込期間ＴＷＲＴにおいて、発光制御信号Ｖg-i、第１初期化信号Ｇini1-iおよび第２初期化信号Ｇini2-iがＬレベルとなるので、ＴＦＴ４０２、ＴＦＴ４０４およびＴＦＴ４０５がオフ状態となる。このとき、走査信号ＹｉがＨレベルとなってＴＦＴ４０１がオン状態となり、データ信号Ｘｊとして階調電圧Ｖdataがデータ線駆動回路２００から供給される。この結果、図３６に示すように第１容量素子４１０および第２容量素子４１１の間で電荷が移動する。書込期間ＴＷＲＴにおける電荷移動後に第１容量素子４１０に保持される保持電荷量をＱ４とすると、保持電荷量Ｑ４は以下の式（４）で与えられる。
Ｑ４＝[(Ｖdata−Ｖinit){Ｃ２/(Ｃ１+Ｃ２)}+ＶＲ−ＶＣ]×Ｃ１…（４）  
【００６９】
そして、発光期間ＴＥＬでは、走査信号Ｙｉ、第１初期化信号Ｇini1-iおよび第２初期化信号Ｇini2-iがＬレベル、発光制御信号Ｖg-iがＨレベルとなるので、ＴＦＴ４０１、ＴＦＴ４０４およびＴＦＴ４０５がオフ状態、ＴＦＴ４０２がオン状態となる。この結果、図３７に示すように第１容量素子４１０から電荷がＯＬＥＤ素子４２０に供給される。このとき、ＯＬＥＤ素子４２０には保持電荷量Ｑ４が供給されるので、ＯＬＥＤ素子４２０は保持電荷量Ｑ４に応じた輝度で発光する。保持電荷量Ｑ４は式（４）示すようにＯＬＥＤ素子４２０のしきい値電圧Ｖtoledの項を含まない。従って、画面全体でＯＬＥＤ素子４２０のしきい値電圧Ｖtoledがばらついたとしても、均一な輝度を表示することが可能となる。
【００７０】
第５実施形態では、初期化期間ＴｉｎｉｔにおいてＴＦＴ４０２をオン状態にする必要があったので、発光制御信号Ｖg-iは初期化期間Ｔｉｎｉｔと書込期間ＴＷＲＴにおいてＨレベルになっていた。このため、走査線駆動回路１００は、２つのタイミングでアクティブとなるように発光制御信号Ｖg-iを生成しなければならず、構成が複雑になっていた。これに対して本実施形態では、ＴＦＴ４０５を追加したので、発光制御信号Ｖg-iは書込期間ＴＷＲＴにおいてのみアクティブとなる。従って、本実施形態によれば走査線駆動回路１００を簡易に構成できる。
【００７１】
なお、上述した本実施形態において、第１初期化信号Ｇini1-iと第２初期化信号Ｇini2-iを個別に供給したが、第２初期化信号Ｇini2-iの替わりに第１初期化信号Ｇini1-iを供給してもよい。この場合には、走査線駆動回路１００の構成をより一層簡易にできる。また、第２初期化制御線１０５を省略できるので、配線構造を簡易にできる。
さらに、ＴＦＴ４０５を第１接続点Ｚ１とＯＬＥＤ素子４２０の陰極との間に設けてもよい。この場合には、第２低電位側電圧ＶＲを供給する必要がないので、第４電源線を省略することが可能となる。
くわえて、第１初期化信号Ｇini1-iおよび第２初期化信号Ｇini2-iがＨレベルとなる初期化期間Ｔｉｎｉｔを当該画素回路４００Ｇが選択される水平走査期間（１Ｈ）の前に設定してもよい。これによって、書込期間ＴＷＲＴの時間を長く確保することが可能となる。また、第２低電位側電圧ＶＲの替わりに低電位側電圧ＶＬ、または、電荷保持基準電圧ＶＣを用いても良い。その場合、ＶＲとして特別な電源を供給する必要がなくなるので、構成を簡略化できる。
【００７２】
＜８．第８実施形態＞
第８実施形態の電気光学装置１０は、画素回路４００Ｇの替わりに画素回路４００Ｈを用いる点を除いて、第７実施形態と同様に構成されている。
図３８にｉ行ｊ列に位置する画素回路４００Ｈの回路図を示す。画素回路４００Ｈでは、ＯＬＥＤ素子４２０と並列にＴＦＴ４０３が設けられている。ＴＦＴ４０３のドレイン電極はＯＬＥＤ素子４２０の陽極と接続され、そのソース電極はＯＬＥＤ素子４２０の陰極と接続されている。さらに、ＴＦＴ４０３のゲート電極は放電制御線１０３と接続されており、放電制御信号Ｖdis-iが放電制御線１０３を介して走査線駆動回路１００から供給される。ＴＦＴ４０３はＯＬＥＤ素子４２０に蓄積された電荷を放電させる放電手段として機能する。
【００７３】
図３９に画素回路４００Ｈのタイミングチャートの一例を示す。また、図４０〜図４２に画素回路４００Ｈの等価回路を示す。まず、初期化期間Ｔｉｎｉｔにおいては、第７実施形態と同様に第１初期化信号Ｇini1-iおよび第２初期化信号Ｇini2-iがＨレベルとなる一方、走査信号Ｙｉ、発光制御信号Ｖg-iおよび放電制御信号Ｖdis-iがＬレベルとなる。この結果、図４０に示すように、ＴＦＴ４０４およびＴＦＴ４０５がオン状態となり、ＴＦＴ４０１〜４０３がオフ状態となる。第２容量素子４１１には電圧（Ｖinit−ＶＲ）が印加される。
【００７４】
次に、書込期間ＴＷＲＴにおいては、発光制御信号Ｖg-i、第１初期化信号Ｇini1-iおよび第２初期化信号Ｇini2-iがＬレベルとなる一方、走査信号Ｙｉおよび放電制御信号Ｖdis-iがＨレベルとなる。この結果、図４１に示すように、第１容量素子４１０と第２容量素子４１１との間で電荷が移動すると共に、ＴＦＴ４０３がオン状態となる。このとき、ＯＬＥＤ素子４２０の陽極と陰極とが短絡され、ＯＬＥＤ素子４２０に蓄積された電荷が放電される。そして、発光期間ＴＥＬにおいては、図４２に示すようにＴＦＴ４０１、および４０３〜４０５がオフ状態となる一方、ＴＦＴ４０２がオン状態となって、ＯＬＥＤ素子４２０に上述した電荷Ｑ４が供給される。
【００７５】
本実施形態によれば、第２、第４および第６実施形態と同様に、ＯＬＥＤ素子４２０に蓄積された電荷を放電したので、前回の発光期間ＴＥＬにおけるＯＬＥＤ素子４２０の状態によって、今回の発光期間ＴＥＬにおける表示輝度が影響されないようにできる。この結果、正確な輝度を表示することが可能となり、表示品質を向上させることが可能となる。また、第１容量素子４１０と第２容量素子４１１との間で電荷を移動させている期間において同時にＯＬＥＤ素子４２０に蓄積された電荷を放電するようにしたので、個別の動作期間を設ける場合と比較して、初期化期間Ｔｉｎｉｔに十分な時間を配分することができる。
【００７６】
なお、放電制御信号Ｖdis-iの替わりに走査信号Ｙｉを用いてもよい。この場合には、放電制御信号Ｖdis-iを走査線駆動回路１００で生成する必要がないので、走査線駆動回路１００の構成を簡易なものにすることができ、さらに、放電制御線１０３を省略できるので、配線構造を簡易なものにすることが可能となる。
【００７７】
また、上述した各実施形態においてＯＬＥＤ素子４２０は、低分子、高分子もしくはデンドリマー等の発光有機材料を用いている。ＯＬＥＤ素子４２０は、電流駆動型素子の一例であり、これに代えて、無機ＥＬ素子や、フィールド・エミッション（ＦＥ）素子、表面伝導型エミッション（ＳＥ）素子、弾道電子放出（ＢＳ）素子、ＬＥＤなどの他の自発光素子、さらには、電気泳動素子、エレクトロ・クロミック素子などを用いても良い。また、光書きこみ型のプリンタや電子複写機等に用いる書き込みヘッド等の電気光学装置にも上記各実施形態と同様に本発明が適用され得る。
【００７８】
＜９．電子機器＞
次に、上述した第１乃至第８実施形態に係る電気光学装置１０を適用した電子機器について説明する。図４３に、電気光学装置１０を適用したモバイル型のパーソナルコンピュータの構成を示す。パーソナルコンピュータ２０００は、表示ユニットとしての電気光学装置１０と本体部２０１０を備える。本体部２０１０には、電源スイッチ２００１及びキーボード２００２が設けられている。この電気光学装置１０はＯＬＥＤ素子４２０を用いるので、視野角が広く見易い画面を表示できる。
図４４に、電気光学装置１０を適用した携帯電話機の構成を示す。携帯電話機３０００、複数の操作ボタン３００１及びスクロールボタン３００２、並びに表示ユニットとしての電気光学装置１０を備える。スクロールボタン３００２を操作することによって、電気光学装置１０に表示される画面がスクロールされる。
図４５に、電気光学装置１０を適用した情報携帯端末（ＰＤＡ：Personal Digital Assistants）の構成を示す。情報携帯端末４０００は、複数の操作ボタン４００１及び電源スイッチ４００２、並びに表示ユニットとしての電気光学装置１０を備える。電源スイッチ４００２を操作すると、住所録やスケジュール帳といった各種の情報が電気光学装置１０に表示される。
なお、電気光学装置１０が適用される電子機器としては、図４３〜図４５に示すものの他、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等などが挙げられる。そして、これらの各種電子機器の表示部として、前述した電気光学装置１０が適用可能である。また、直接画像や文字などを表示する電子機器の表示部に限られず、被感光体に光を照射することにより間接的に画像もしくは文字を形成するために用いられる印刷機器の光源として適用してもよい。
【図面の簡単な説明】
【００７９】
【図１】本発明の第１実施形態に係る電気光学装置の構成を示すブロック図である。
【図２】同装置の画素回路４００Ａを示す図である。
【図３】同装置の動作を示すタイミングチャートである。
【図４】同画素回路４００Ａの動作説明図である。
【図５】同画素回路４００Ａの動作説明図である。
【図６】本発明の第２実施形態に係る電気光学装置に用いる画素回路４００Ｂを示す図である。
【図７】同装置の動作を示すタイミングチャートである。
【図８】同画素回路４００Ｂの動作説明図である。
【図９】同画素回路４００Ｂの動作説明図である。
【図１０】同画素回路４００Ｂの動作説明図である。
【図１１】本発明の第３実施形態に係る電気光学装置に用いる画素回路４００Ｃを示す図である。
【図１２】同装置の動作を示すタイミングチャートである。
【図１３】同画素回路４００Ｃの動作説明図である。
【図１４】同画素回路４００Ｃの動作説明図である。
【図１５】同画素回路４００Ｃの動作説明図である。
【図１６】本発明の第４実施形態に係る電気光学装置に用いる画素回路４００Ｄを示す図である。
【図１７】同装置の動作を示すタイミングチャートである。
【図１８】同画素回路４００Ｄの動作説明図である。
【図１９】同画素回路４００Ｄの動作説明図である。
【図２０】同画素回路４００Ｄの動作説明図である。
【図２１】同画素回路４００Ｄの動作説明図である。
【図２２】本発明の第５実施形態に係る電気光学装置に用いる画素回路４００Ｅを示す図である。
【図２３】同装置の動作を示すタイミングチャートである。
【図２４】同画素回路４００Ｅの動作説明図である。
【図２５】同画素回路４００Ｅの動作説明図である。
【図２６】同画素回路４００Ｅの動作説明図である。
【図２７】本発明の第６実施形態に係る電気光学装置に用いる画素回路４００Ｆを示す図である。
【図２８】同装置の動作を示すタイミングチャートである。
【図２９】同画素回路４００Ｆの動作説明図である。
【図３０】同画素回路４００Ｆの動作説明図である。
【図３１】同画素回路４００Ｆの動作説明図である。
【図３２】同画素回路４００Ｆの動作説明図である。
【図３３】本発明の第７実施形態に係る電気光学装置に用いる画素回路４００Ｇを示す図である。
【図３４】同装置の動作を示すタイミングチャートである。
【図３５】同画素回路４００Ｇの動作説明図である。
【図３６】同画素回路４００Ｇの動作説明図である。
【図３７】同画素回路４００Ｇの動作説明図である。
【図３８】本発明の第８実施形態に係る電気光学装置に用いる画素回路４００Ｈを示す図である。
【図３９】同装置の動作を示すタイミングチャートである。
【図４０】同画素回路４００Ｈの動作説明図である。
【図４１】同画素回路４００Ｈの動作説明図である。
【図４２】同画素回路４００Ｈの動作説明図である。
【図４３】同電気光学装置を用いたパーソナルコンピュータを示す図である。
【図４４】同電気光学装置を用いた携帯電話を示す図である。
【図４５】同電気光学装置を用いた携帯情報端末を示す図である。
【符号の説明】
【００８０】
１０…電気光学装置、１００…走査線駆動回路（駆動手段）、２００…データ線駆動回路（駆動手段）、４００Ａ〜４００Ｈ…画素回路、４０１…ＴＦＴ（入力スイッチング手段）、４０２…ＴＦＴ（第１スイッチング手段）、４０３…ＴＦＴ（放電手段）、４０４…ＴＦＴ（第２スイッチング手段）、４０５…ＴＦＴ（第３スイッチング手段）、４１０…第１容量素子（第１電荷保持手段）、４１１…第２容量素子（第２電荷保持手段）、４２０…ＯＬＥＤ素子（電気光学素子）、Ｖdata…階調電圧、Ｖinit…初期化電圧（第３電圧）、ＶＣ…電荷保持基準電圧（第２電圧）、ＶＲ…第２低電位側電圧（第４電圧）、Ｙｉ…走査信号（選択信号）、Ｖｇ-i…発光制御信号（第１制御信号）、Ｇini1-i…第１初期化信号（第２制御信号）、Ｇini2-i…第２初期化信号（第３制御信号）、Ｖdis-i…放電制御信号、Ｚ１…第１接続点、Ｚ２…第２接続点、Ｔｉｎｉｔ…初期化期間、ＴＷＲＴ…書込期間、ＴＥＬ…発光期間。
【図１】
2006003716.tif 000003
【図２】
2006003716.tif 000004
【図３】
2006003716.tif 000005
【図４】
2006003716.tif 000006
【図５】
2006003716.tif 000007
【図６】
2006003716.tif 000008
【図７】
2006003716.tif 000009
【図８】
2006003716.tif 000010
【図９】
2006003716.tif 000011
【図１０】
2006003716.tif 000012
【図１１】
2006003716.tif 000013
【図１２】
2006003716.tif 000014
【図１３】
2006003716.tif 000015
【図１４】
2006003716.tif 000016
【図１５】
2006003716.tif 000017
【図１６】
2006003716.tif 000018
【図１７】
2006003716.tif 000019
【図１８】
2006003716.tif 000020
【図１９】
2006003716.tif 000021
【図２０】
2006003716.tif 000022
【図２１】
2006003716.tif 000023
【図２２】
2006003716.tif 000024
【図２３】
2006003716.tif 000025
【図２４】
2006003716.tif 000026
【図２５】
2006003716.tif 000027
【図２６】
2006003716.tif 000028
【図２７】
2006003716.tif 000029
【図２８】
2006003716.tif 000030
【図２９】
2006003716.tif 000031
【図３０】
2006003716.tif 000032
【図３１】
2006003716.tif 000033
【図３２】
2006003716.tif 000034
【図３３】
2006003716.tif 000035
【図３４】
2006003716.tif 000036
【図３５】
2006003716.tif 000037
【図３６】
2006003716.tif 000038
【図３７】
2006003716.tif 000039
【図３８】
2006003716.tif 000040
【図３９】
2006003716.tif 000041
【図４０】
2006003716.tif 000042
【図４１】
2006003716.tif 000043
【図４２】
2006003716.tif 000044
【図４３】
2006003716.tif 000045
【図４４】
2006003716.tif 000046
【図４５】
2006003716.tif 000047